(57)【要約】【課題】従来の信号調整装置は、音量変化の激しいコンテンツの再生出力信号が入力された場合、フェードイン開始のタイミングによっては突然大音量の音声信号を出力してしまうことがあった。【解決手段】入力信号の強度を検知する信号強度検知手段１３の出力と、ゲイン値の増加に追随して増加する第１の閾値、入力信号の最大強度によって算出される第２の閾値、および計時手段１４が検知する経過時間に基づき、フェードイン手段１１におけるフェードイン処理の開始と中断を指示するフェードイン制御手段１２を備えることにより、入力信号の強度変化に応じてフェードイン処理を進行させることができ、唐突感のないフェードイン出力を得ることができる。【選択図】図１
2006148194.tif 000002
【特許請求の範囲】
【請求項１】
入力信号をフェードイン処理して出力信号を出力するフェードイン手段と、
前記入力信号の強度と第１の閾値との演算結果に基づいて前記フェードイン処理の進行度を指示するフェードイン制御手段とを備えた信号調整装置。
【請求項２】
前記フェードイン処理の進行度は、ゲイン値の増加度であることを特徴とする請求項１記載の信号調整装置。
【請求項３】
前記フェードイン制御手段は、前記ゲイン値に基づいて前記第１の閾値を決定することを特徴とする請求項２記載の信号調整装置。
【請求項４】
前記フェードイン制御手段は、前記入力信号の強度が前記第１の閾値と比較して大きいときに前記フェードイン処理の開始を指示することを特徴とする請求項１ないし３のいずれか１項記載の信号調整装置。
【請求項５】
前記フェードイン制御手段は、前記入力信号の強度が前記第１の閾値と比較して小さいときに前記フェードイン処理の進行を中断することを特徴とする請求項４記載の信号調整装置。
【請求項６】
前記フェードイン制御手段は、前記フェードイン処理の開始に伴って前記第１の閾値を増加させることを特徴とする請求項５記載の信号調整装置。
【請求項７】
さらに、第２の閾値を保持し、第１の閾値が第２の閾値と比較して大きい場合は前記フェードイン処理を進行させる一方、
第１の閾値が第２の閾値より小さい場合は前記フェードイン処理の進行を中断することを特徴とする請求項６記載の信号調整装置。
【請求項８】
さらに、前記フェードイン処理の経過時間を前記フェードイン制御手段に報告する計時手段を有し、
前記フェードイン制御手段は前記経過時間が所定時間より大きいときに前記フェードイン処理を進行させる一方、
前記経過時間が前記所定時間より小さい場合はフェードイン処理の進行を中断することを特徴とする請求項５ないし７のいずれか１項記載の信号調整装置。
【請求項９】
前記入力信号は音信号であることを特徴とする請求項１ないし８のいずれか１項記載の信号調整装置。
【請求項１０】
請求項１ないし９のいずれか１項記載の信号調整装置と、無線通信部と、制御部と、操作部と、表示部を有することを特徴とする情報端末装置。
【請求項１１】
入力信号をフェードイン処理して出力信号を出力するフェードイン手段と、
前記入力信号の強度を検知して検知信号を送出する信号強度検知手段と、
前記検知信号と第３の閾値との演算結果に基づいて前記フェードイン処理の進行度を指示するフェードイン制御手段とを備えた信号調整装置。
【請求項１２】
前記フェードイン処理の進行度は、ゲイン値の増加度であることを特徴とする請求項１１記載の信号調整装置。
【請求項１３】
前記フェードイン制御手段は、前記ゲイン値に基づいて前記第３の閾値を決定することを特徴とする請求項１２記載の信号調整装置。
【請求項１４】
前記フェードイン制御手段は、前記検知信号が前記第３の閾値と比較して大きいときに前記フェードイン処理の開始を指示することを特徴とする請求項１１ないし１３のいずれか１項記載の信号調整装置。
【請求項１５】
前記フェードイン制御手段は、前記検知信号が前記第３の閾値と比較して小さいときに前記フェードイン処理の進行を中断することを特徴とする請求項１４記載の信号調整装置。
【請求項１６】
前記フェードイン制御手段は、前記フェードイン処理の開始に伴って前記第３の閾値を増加させることを特徴とする請求項１５記載の信号調整装置。
【請求項１７】
さらに、第４の閾値を保持し、第３の閾値が第４の閾値と比較して大きい場合は前記フェードイン処理を進行させる一方、
第３の閾値が第４の閾値より小さい場合は前記フェードイン処理の進行を中断することを特徴とする請求項１６記載の信号調整装置。
【請求項１８】
さらに、前記フェードイン処理の経過時間を前記フェードイン制御手段に報告する計時手段を有し、
前記フェードイン制御手段は前記経過時間が所定時間より大きいときに前記フェードイン処理を進行させる一方、
前記経過時間が前記所定時間より小さい場合はフェードイン処理の進行を中断することを特徴とする請求項１５ないし１７のいずれか１項記載の信号調整装置。
【請求項１９】
前記入力信号は音信号であることを特徴とする請求項１１ないし１８のいずれか１項記載の信号調整装置。
【請求項２０】
請求項１１ないし1９のいずれか１項記載の信号調整装置と、請求項１記載の信号調整装置と、無線通信部と、制御部と、操作部と、表示部を有することを特徴とする情報端末装置。
【請求項２１】
入力信号をフェードイン処理して出力信号を出力するフェードイン処理ステップと、
前記入力信号の強度と第１の閾値とを演算する信号強度演算ステップと、
前記演算の結果に基づいて前記フェードイン処理の進行度を指示するフェードイン処理進行指示ステップとからなる信号調整方法。
【請求項２２】
入力信号をフェードイン処理して出力信号を出力するフェードイン処理ステップと、
前記入力信号の強度を検知して検知信号を送出する信号強度検知ステップと
前記検知信号と第３の閾値とを演算する信号強度演算ステップと、
前記演算の結果に基づいて前記フェードイン処理の進行度を指示するフェードイン処理進行指示ステップとからなる信号調整方法。
【請求項２３】
入力信号をフェードイン処理して出力信号を出力するフェードイン処理ステップと、
前記入力信号の強度と第１の閾値とを演算する信号強度演算ステップと、
前記演算の結果に基づいて前記フェードイン処理の進行度を指示するフェードイン処理進行指示ステップとからなる信号調整プログラム。
【請求項２４】
入力信号をフェードイン処理して出力信号を出力するフェードイン処理ステップと、
前記入力信号の強度を検知して検知信号を送出する信号強度検知ステップと
前記検知信号と第３の閾値とを演算する信号強度演算ステップと、
前記演算の結果に基づいて前記フェードイン処理の進行度を指示するフェードイン処理進行指示ステップとからなる信号調整プログラム。
【発明の詳細な説明】
【技術分野】
【０００１】
本発明は音楽や動画、テレビ放送などの映像音響信号を調整する信号調整装置に関するものである。
【背景技術】
【０００２】
近年、メモリの小型大容量化や音声圧縮技術の向上に伴い、携帯電話機などの携帯端末でも音楽や動画、テレビ放送などの各種コンテンツを手軽に再生することが可能となってきている。このような携帯端末において、着信音、通話音声、音楽、動画、テレビ放送等、異なる種類のコンテンツを切り換えながら視聴する場合、再生出力信号の音量レベルがコンテンツごとに異なるため、切り換え直後に突然大きな信号が出力される場合がある。例えば、通話が終了してテレビ放送の受信を再開した瞬間に大音量のテレビ音声が出力されるような場合や、静かな音楽を再生している時に着信音が大きな音で鳴り出すような場合がこれに相当する。このような唐突感を抑えるためには、携帯端末は、再生開始するコンテンツの再生出力信号をフェードインする信号調整機能を備え、徐々に音量レベルを上げる処理を行うことが望ましい。
【０００３】
コンテンツごとの再生出力信号の信号レベルに差がある場合であっても、フェードイン時に適切にこれを調整する装置としては、例えば特許文献１に開示されたフェードイン制御装置がある。特許文献１に開示されたフェードイン制御装置は、音量レベル検出部と演算部とフェードイン制御部とボリュームコントロール回路を備える。音量レベル検出部は音声信号の音量レベルを検出する。演算部はフェードイン制御における初期ボリューム値を計算する。フェードイン制御部は初期ボリューム値から設定ボリューム値までボリューム値を漸増する。ボリューム値に基づいて音量をコントロールするボリュームコントロール回路を備える。当該フェードイン制御装置において、コンテンツの再生を開始した際、演算部が設定ボリューム値と音量レベルとに基づいてフェードイン制御における初期ボリューム値を決定し、フェードイン制御部がその値に基づいて音量をコントロールする。当該フェードイン制御装置によれば、音量レベルが高いコンテンツの再生を開始した場合、音量レベルの低いコンテンツの再生開始時よりも初期ボリューム値を抑制するよう制御することができるので、フェードイン開始時に音量が一定に保たれ、唐突感なくコンテンツの再生を開始することができる。
【特許文献１】実開平４−１２１５８号公報
【発明の開示】
【発明が解決しようとする課題】
【０００４】
図１２に、従来のフェードイン制御装置にコンテンツの再生出力信号を入力した場合の処理例を示す。以下、図１２（ａ）、（ｂ）、（ｃ）を用いて従来のフェードイン制御装置の課題を説明する。
【０００５】
図１２（ａ）は、コンテンツの再生出力信号の音量、すなわちフェードイン制御装置の入力信号の音量変化の例を示すグラフである。入力信号の音量Ｄ１２０１は、フェードイン開始時刻Ｔ１２０１には小さく、時刻Ｔ１２０２以降急激に大きくなる、音量変化の激しい信号である。図１２（ｂ）は、図１２（ａ）に示す入力信号をフェードイン処理する場合の、ボリュームコントロール回路のボリューム値の変化を示すグラフである。ボリューム値Ｄ１２０２は、フェードイン開始時刻Ｔ１２０１からフェードイン完了時刻Ｔ１２０３まで漸増する。初期ボリューム値Ｇ１２０２は、入力信号のうち、時刻Ｔ１２０１以前の部分の音量Ｄ１２０１に基づいて演算部が決定した値である。図１２（ｃ）は、出力信号の音量変化を示すグラフである。出力信号の音量Ｄ１２０３は、入力信号の音量Ｄ１２０１にボリューム値Ｄ１２０２を乗ずることで求められる。出力信号の音量Ｄ１２０３は、時刻Ｔ１２０２までは小さく、時刻Ｔ１２０２で突然大きくなる。このためユーザは、時刻Ｔ１２０２において大音量の音声を唐突に聴くことになる。
【０００６】
以上の例が示すように、上記従来のフェードイン制御装置にあっては、音量変化の激しいコンテンツの再生出力信号が入力された場合、突然大音量の音声信号が出力されてしまうことがあった。
【０００７】
本発明は、上記従来の課題を解決するものであり、強度変化の激しい信号が入力されても唐突感なくフェードインすることができるフェードイン装置を提供することを目的とする。
【０００８】
なお、本明細書中に表記する入力信号ならびに出力信号とは、少なくとも画像または音に変換可能な信号を指す。例として、通話音声、着信音やアラーム音、テレビ放送やラジオ放送、動画や音楽などの映像信号や音響信号、ＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）信号などがある。
【０００９】
また、本明細書中に表記する信号の強度とは、信号が画像または音に変換された際の視覚的または聴覚的な刺激の強さの指標となる数値を指す。例として、画像の最大輝度や平均輝度、音の振幅やパワーの包絡やエネルギーの値、ＭＩＤＩ信号に含まれるＶｅｌｏｃｉｔｙ値やＥｘｐｒｅｓｓｉｏｎ値やＶｏｌｕｍｅ値などが想定される。
【００１０】
また、本明細書中に表記するゲイン値とは、フェードイン処理の際の入力信号の強度に対する出力信号の強度の比率を表す値を指し、増幅率、減衰率の逆数、利得などがこれに相当する。
【００１１】
また、本明細書中に表記するフェードイン処理の進行度とは、フェードイン処理を開始する状態から、フェードイン処理が終了した状態に移るまでの進み具合、すなわちフェードイン処理のはかどり具合を指す。
【課題を解決するための手段】
【００１２】
前記従来の課題を解決するために、本発明の信号調整装置は、入力信号をフェードイン処理して出力信号を出力するフェードイン手段と、前記入力信号の強度と第１の閾値との演算結果に基づいて前記フェードイン処理の進行度を指示するフェードイン制御手段を設けた構成を有する。この構成によれば、入力信号の強度の変化に応じてフェードイン処理の進行状態を変化させることができるため、唐突感なくコンテンツの再生出力信号等をフェードインすることができる。
【００１３】
また本発明の信号調整装置は、前記フェードイン処理の進行度は、ゲイン値の増加度であることを特徴とするものである。この構成によれば、入力信号の強度の変化に応じてフェードイン処理のゲイン値を変化させることができるため、再生するコンテンツ等の状態に合わせたフェードイン処理を行うことができる。
【００１４】
また本発明の信号調整装置は、前記フェードイン制御手段は、前記ゲイン値に基づいて前記第１の閾値を決定することを特徴とするものである。この構成によれば、入力信号の強度の変化とゲイン値に基づいてフェードイン処理の進行状態を決定することができるため、再生するコンテンツ等の状態と信号強度に対するユーザの慣れに合わせた滑らかなフェードイン処理を行うことができる。
【００１５】
また本発明の信号調整装置は、前記フェードイン制御手段は、前記入力信号の強度が前記第１の閾値と比較して大きいときに前記フェードイン処理の開始を指示することを特徴とするものである。この構成によれば、入力信号の強度が大きい区間においてフェードイン処理を開始するようにできるため、フェードイン開始後に信号強度が急激に増加するコンテンツ等であっても滑らかにフェードイン処理を行うことができる。
【００１６】
また本発明の信号調整装置は、前記フェードイン制御手段は、前記入力信号の強度が前記第１の閾値と比較して小さいときに前記フェードイン処理の進行を中断することを特徴とするものである。この構成によれば、入力信号の強度が小さい区間においてフェードイン処理が進行しないようにできるため、信号強度の増減を繰り返すコンテンツ等であっても滑らかにフェードイン処理を行うことができる。
【００１７】
また本発明の信号調整装置は、前記フェードイン制御手段は、前記フェードイン処理の開始に伴って前記第１の閾値を増加させることを特徴とするものである。この構成によれば、入力信号の強度が一旦大きくなったとしても、その後で強度がそれ以上大きくならない場合にフェードイン処理を進行しないようにすることができ、信号強度の増減を繰り返すコンテンツをより滑らかにフェードインすることができる。
【００１８】
また本発明の信号調整装置は、第１の閾値が第２の閾値と比較して大きい場合は前記フェードイン処理を進行させる一方、第１の閾値が第２の閾値より小さい場合は前記フェードイン処理の進行を中断することを特徴とするものである。この構成によれば、フェードイン処理が特定の段階まで一旦進行したら、その後に入力信号の強度が小さくなったとしてもフェードイン処理を中断せず進行することができ、ユーザが入力信号の強度に充分慣れた時点でフェードイン処理を素早く完了させることができる。
【００１９】
また本発明の信号調整装置は、前記フェードイン処理の経過時間を前記フェードイン制御手段に報告する計時手段を有し、前記フェードイン制御手段は前記経過時間が所定時間より大きいときに前記フェードイン処理を進行させる一方、前記経過時間が所定時間より小さい場合はフェードイン処理の進行を中断することを特徴とするものである。この構成によれば、フェードイン処理開始から一定の時間が経過したら、その後に入力信号の強度が小さくなったとしてもフェードイン処理を中断せず進行することができ、フェードイン処理を短時間で完了させることができる。
【００２０】
また本発明の信号調整装置は、前記入力信号は音信号であることを特徴とするものである。この構成によれば、音信号を唐突感なくフェードインすることができる。
【００２１】
また本発明の信号調整装置と無線通信部と、制御部と、操作部と、表示部を有する情報端末装置を構成する。この構成によれば、唐突感なくコンテンツの再生出力信号等をフェードインする情報端末を提供することができる。
【００２２】
また、本発明の信号調整装置は、入力信号をフェードイン処理して出力信号を出力するフェードイン手段と、前記入力信号の強度を検知して検知信号を送出する信号強度検知手段と、前記検知信号と第３の閾値との演算結果に基づいて前記フェードイン処理の進行度を指示するフェードイン制御手段を設けた構成を有する。この構成によれば、入力信号の強度の変化を検出し、その検出結果に応じてフェードイン処理の進行状態を変化させることができるため、唐突感なくより滑らかにコンテンツ再生出力信号等をフェードインすることができる。
【００２３】
また本発明の信号調整装置は、前記フェードイン処理の進行度は、ゲイン値の増加度であることを特徴とするものである。この構成によれば、入力信号の強度の変化に応じてフェードイン処理のゲイン値を変化させることができるため、再生するコンテンツ等の状態に合わせたフェードイン処理を行うことができる。
【００２４】
また本発明の信号調整装置は、前記フェードイン制御手段は、前記ゲイン値に基づいて前記第３の閾値を決定することを特徴とするものである。この構成によれば、入力信号の強度とゲイン値に基づいてフェードイン処理の進行状態を決定することができるため、再生するコンテンツ等の状態と信号強度に対するユーザの慣れに合わせた滑らかなフェードイン処理を行うことができる。
【００２５】
また本発明の信号調整装置は、前記フェードイン制御手段は、前記検知信号が前記第３の閾値と比較して大きいときに前記フェードイン処理の開始を指示することを特徴とするものである。この構成によれば、入力信号の強度のが大きい区間においてフェードイン処理を開始するようにできるため、フェードイン開始後に信号強度が急激に増加するコンテンツ等であっても滑らかにフェードイン処理を行うことができる。
【００２６】
また本発明の信号調整装置は、前記フェードイン制御手段は、前記検知信号が前記第３の閾値と比較して小さいときに前記フェードイン処理の進行を中断することを特徴とするものである。この構成によれば、入力信号の強度が小さい区間においてフェードイン処理が進行しないようにできるため、信号強度の増減を繰り返すコンテンツ等であっても滑らかにフェードイン処理を行うことができる。
【００２７】
また本発明の信号調整装置は、前記フェードイン制御手段は、前記フェードイン処理の開始に伴って前記第３の閾値を増加させることを特徴とするものである。この構成によれば、検知信号が一旦大きくなったとしても、その後で強度がそれ以上大きくならない場合にフェードイン処理を進行しないようにすることができ、信号強度の増減を繰り返すコンテンツをより滑らかにフェードインすることができる。
【００２８】
また本発明の信号調整装置は、第３の閾値が第４の閾値と比較して大きい場合は前記フェードイン処理を進行させる一方、第３の閾値が第４の閾値より小さい場合は前記フェードイン処理の進行を中断することを特徴とするものである。この構成によれば、フェードイン処理が特定の段階まで一旦進行したら、その後に入力信号の強度が小さくなったとしてもフェードイン処理を中断せず進行することができ、ユーザが入力信号の強度に充分慣れた時点でフェードイン処理を素早く完了させることができる。
【００２９】
また本発明の信号調整装置は、前記フェードイン処理の経過時間を前記フェードイン制御手段に報告する計時手段を有し、前記フェードイン制御手段は前記経過時間が所定時間より大きいときに前記フェードイン処理を進行させる一方、前記経過時間が所定時間より小さい場合はフェードイン処理の進行を中断することを特徴とするものである。この構成によれば、フェードイン処理開始から一定の時間が経過したら、その後に入力信号の強度が小さくなったとしてもフェードイン処理を中断せず進行することができ、フェードイン処理を短時間で完了させることができる。
【００３０】
また本発明の信号調整装置は、前記入力信号は音信号であることを特徴とするものである。この構成によれば、音信号を唐突感なくフェードインすることができる。
【００３１】
また本発明の信号調整装置と無線通信部と、制御部と、操作部と、表示部を有する情報端末装置を構成する。この構成によれば、唐突感なくコンテンツの再生出力信号等をフェードインする情報端末を提供することができる。
【００３２】
また本発明の信号調整方法は、入力信号をフェードイン処理して出力信号を出力するフェードイン処理ステップと、前記入力信号の強度と第１の閾値とを演算する信号強度演算ステップと、前記演算の結果に基づいて前記フェードイン処理の進行度を指示するフェードイン処理進行指示ステップとからなるものである。この方法によれば、入力信号の強度の変化に応じてフェードイン処理の進行状態を変化させることができるため、コンテンツの再生出力信号等を唐突感なくフェードインすることができる。
【００３３】
また本発明の信号調整方法は、入力信号をフェードイン処理して出力信号を出力するフェードイン処理ステップと、前記入力信号の強度を検知して検知信号を送出する信号強度検知ステップと、前記検知信号と第３の閾値とを演算する信号強度演算ステップと、前記演算の結果に基づいて前記フェードイン処理の進行度を指示するフェードイン処理進行指示ステップとからなるものである。この方法によれば、入力信号の強度の変化に応じてフェードイン処理の進行状態を変化させることができるため、コンテンツの再生出力信号等を唐突感なくフェードインすることができる。
【００３４】
また本発明の信号調整プログラムは、入力信号をフェードイン処理して出力信号を出力するフェードイン処理ステップと、前記入力信号の強度と第１の閾値とを演算する信号強度演算ステップと、前記演算の結果に基づいて前記フェードイン処理の進行度を指示するフェードイン処理進行指示ステップとからなるものである。このプログラムによれば、入力信号の強度の変化に応じてフェードイン処理の進行状態を変化させることができるため、コンテンツの再生出力信号等を唐突感なくフェードインすることができる。
【００３５】
また本発明の信号調整プログラムは、入力信号をフェードイン処理して出力信号を出力するフェードイン処理ステップと、前記入力信号の強度を検知して検知信号を送出する信号強度検知ステップと、前記検知信号と第３の閾値とを演算する信号強度演算ステップと、前記演算の結果に基づいて前記フェードイン処理の進行度を指示するフェードイン処理進行指示ステップとからなるものである。このプログラムによれば、入力信号の強度の変化に応じてフェードイン処理の進行状態を変化させることができるため、コンテンツの再生出力信号等を唐突感なくフェードインすることができる。
【発明の効果】
【００３６】
本発明によれば、強度変化の激しい信号が入力された場合でも、入力信号の強度変化に応じてフェードイン処理を進行させることができ、唐突感のないフェードイン出力を得ることができる。
【発明を実施するための最良の形態】
【００３７】
以下本発明を実施するための最良の形態について、図面を参照しながら説明する。なお、実施の形態を説明するための全図において、同一の構成要素には同一符号を付与し、重複する説明は省略する。
【００３８】
（実施の形態１）
図１は、本発明の実施の形態１における携帯電話端末の概略構成図である。図１において、携帯電話端末は信号調整装置１と信号発生手段２と信号提示手段４を備える。信号調整装置１は本発明の信号調整装置に該当する。信号調整装置１はフェードイン手段１１、信号強度検知手段１３、フェードイン制御手段１２、計時手段１４を備える。
【００３９】
信号発生手段２は、フェードイン手段１１への入力となる入力信号１０１を発生する手段である。信号発生手段２は例えば、ＴＶ映像復号手段やＴＶ音声復号手段、通話音声復号手段、着信音再生手段、アラーム音発生手段などが考えられる。
【００４０】
信号提示手段４は、フェードイン手段１１の出力信号を視認または聴取可能に提示する手段である。信号提示手段４は、例えば、内蔵スピーカー、内蔵液晶ディスプレイ、外部接続したディスプレイ装置、ヘッドホンとマイクが一体となったヘッドセット、ステレオヘッドホンなどが考えられる。
【００４１】
フェードイン手段１１は、信号発生手段２が出力する信号を入力信号１０１とし、フェードイン処理して出力信号１０２を出力する。このときフェードイン手段１１は、フェードイン制御手段１２からのフェードイン開始指示１０３またはフェードイン中断指示１０４に基づいてフェードイン処理を実行する。またフェードイン手段１１は、フェードイン処理が完了するとフェードイン完了通知１０６をフェードイン制御手段１２に出力する。
【００４２】
信号強度検知手段１３は、入力信号の強度Ｌｉｎを検知し、Ｌｉｎの値に基づいた第１の検知信号である信号強度検知信号１０７をフェードイン制御手段１２に出力する。
【００４３】
フェードイン制御手段１２は、第３の閾値Ｌ３を保持し、入力信号の強度Ｌｉｎと第１の閾値Ｌ３との演算結果、および計時手段１４から報告された経過時間ｔに基づいて、フェードイン手段１１にフェードイン開始指示１０３またはフェードイン中断指示１０４を出力することにより、フェードイン処理の進行度を制御する。またフェードイン制御手段１２は、計時手段１４に計時開始、計時停止を指示し、経過時間ｔを問い合わせる。
【００４４】
計時手段１４は、フェードイン制御手段１２からの計時開始、計時停止の指示に従い、計時を行い、フェードイン制御手段１２からの問合せに対して経過時間ｔを報告する。
【００４５】
図２は、本発明の実施の形態１における携帯電話端末をさらに詳しく示した構成図である。図２において無線通信部５１は、無線回線網との接続と切断および符号化した通話音声データの送受信を行うとともに、着信を検出し、着信通知を制御部８に出力する。通話音声符号化部２１は、内蔵マイク６が出力する通話音声信号を符号化して無線通信部５１に出力する。通話音声復号部２２は無線通信部５１が受信した通話音声データを復号し、得られた通話音声信号をフェードイン手段１１に出力する。
【００４６】
ＴＶ放送受信部５２は、ＴＶ放送波を受信して検波、分離し、ＴＶ映像データをＴＶ映像復号部２３に、ＴＶ音声データをＴＶ音声復号部２４にそれぞれ出力する。ＴＶ映像復号部２３は、ＴＶ放送受信部５２が出力したＴＶ映像データを復号して画像表示素子であるＬＣＤ４２にＴＶ映像信号を出力する。ＴＶ音声復号部２４は、ＴＶ放送受信部５２が出力したＴＶ音声データを復号してフェードイン手段１１にＴＶ音声信号を出力する。
【００４７】
内蔵スピーカー４１は、フェードイン手段１１が出力する音声信号を聴取可能に出力する。ＬＣＤ４２は携帯電話端末の表示部であり、ＴＶ映像復号部２３が出力したＴＶ映像信号を視認可能に出力する。
【００４８】
内蔵マイク６は、通話時にユーザが発する音声を電気信号である通話音声信号に変換して通話音声符号化部２１に出力する。操作キー７は携帯電話端末の操作部であり、ユーザのオフフックおよびオンフック操作を受け付け、オフフック操作通知、オンフック操作通知を制御部８に出力する。
【００４９】
制御部８は、無線通信部５１が通知する着信通知、操作キー７が出力するオフフック操作通知、オンフック操作通知に基づいて通話の開始と終了を無線通信部５１に指示する。また、制御部８は通話音声信号とＴＶ音声信号の音量変更指示２０１やフェードイン指示２０２をフェードイン制御手段１２に出力する。
【００５０】
フェードイン手段１１は、図１のフェードイン手段１１に相当するものである。フェードイン手段１１は、フェードイン制御手段１２が出力するフェードイン開始指示１０３またはフェードイン中断指示１０４に基づいて、通話音声復号部２２が出力する通話音声信号およびＴＶ音声復号部２４が出力するＴＶ音声信号にフェードイン処理を施し、処理した音響信号を内蔵スピーカー４１に出力する。またフェードイン手段１１は、フェードイン制御手段１２が出力するゲイン設定指示２０３に従って通話音声信号とＴＶ音声信号の出力信号強度を調整する。
【００５１】
信号強度検知手段１３はＴＶ音声復号部２４が出力するＴＶ音声信号の強度Ｌｉｎを検知し、Ｌｉｎの値に基づいた信号強度検知信号１０７をフェードイン制御手段１２に出力する。フェードイン制御手段１２は制御部８が出力するフェードイン指示２０２に基づいてフェードイン手段１１におけるフェードイン処理の進行度を制御する。またフェードイン制御手段１２は、制御部８が出力する音量変更指示２０１に基づいてフェードイン手段１１にゲイン設定指示２０３を出力する。
【００５２】
図３は、本発明の実施の形態１における携帯電話端末の最大信号強度記憶処理の動作手順を示すフローチャートである。最大信号強度記憶処理は、フェードイン制御手段１２が信号強度検知信号１０７を受け取ったときに実行する。フェードイン制御手段１２は、ＴＶ音声信号の強度を信号強度検知信号１０７から抽出して入力信号強度を表す変数Ｌｉｎに代入する（ステップＳ３０１）。フェードイン制御手段１２は入力信号強度の最大値Ｌｍａｘを保持しており、これと入力信号の強度Ｌｉｎとを比較する（ステップＳ３０２）。入力信号強度Ｌｉｎが入力信号強度の最大値Ｌｍａｘより大きい場合は入力信号強度Ｌｉｎの値を変数Ｌｍａｘに代入し、新たな最大値として保持する（ステップＳ３０３）。なお、入力信号強度の最大値Ｌｍａｘは、ＴＶ放送の受信が開始されたとき、あるいはＴＶ放送の受信チャンネルが変更されたときに小さな値（たとえば−５ｄＢ）にリセットされる。
【００５３】
図４は、本発明の実施の形態１における携帯電話端末のフェードイン制御処理の動作手順を示すフローチャートである。フェードイン制御処理はフェードイン制御手段１２がフェードイン指示２０２を受け取ったときに実行する。図４のステップＳ４０１において、フェードイン制御手段１２は、第３の閾値Ｌ３を最小値（−∞ｄＢ）に、第４の閾値Ｌ４を入力信号強度の最大値Ｌｍａｘより一定値だけ小さな値（Ｌｍａｘ−０．１ｄＢ）に、それぞれセットする。
【００５４】
フェードイン制御手段１２は、フェードイン処理の状態を判別する。フェードイン処理が既に開始されて継続中であれば（ステップＳ４０２のＹＥＳの場合）、ステップ４０３に処理を進める。また、フェードイン処理が停止中であれば（ＮＯの場合）、ステップ４０４に処理を進める（ステップＳ４０２）。ここで、フェードイン処理が既に開始され継続中であると判断された場合には、フェードイン制御手段１２は、フェードイン手段１１から現在のゲイン値Ｇを取得し、ゲイン値Ｇと信号強度の最大値Ｌｍａｘから新しい第３の閾値Ｌ３の値を計算する（ステップＳ４０３）。この結果、第３の閾値Ｌ３は増加する。
【００５５】
フェードイン制御手段１２は、フェードイン完了通知１０６を受け取ったかどうかを判断し、処理を分岐する。（ステップＳ４０４）、フェードイン完了通知１０６を受け取ったら（ＹＥＳ）、計時手段１４における計時を停止して処理を終了する（ステップＳ４９９）。フェードイン完了通知１０６を受け取っていなければ（ＮＯ）ステップＳ４０５の処理へ進み、さらに、フェードイン制御手段１２が信号強度検知信号１０７を受け取ったかどうかで処理を分岐する（ステップＳ４０５）。フェードイン制御手段１２が信号強度検知信号１０７を受け取っていなければ（ＮＯの場合）、ステップＳ４０２へ戻る。また、すでに信号強度検知信号１０７を受け取っていたら（ＹＥＳの場合）、信号強度検知信号１０７から入力信号１０１の強度を抽出し、入力信号１０１の強度を表す変数Ｌｉｎに代入する（ステップＳ４０６）。
【００５６】
フェードイン制御手段１２は、入力信号の強度Ｌｉｎが第３の閾値Ｌ３より大きいかどうかで処理を分岐する（ステップＳ４０７）。入力信号の強度Ｌｉｎが第３の閾値Ｌ３より大きい場合（ＹＥＳの場合）はフェードイン開始のための処理（ステップＳ４０８〜Ｓ４１１）へ進み、大きくなければ（ＮＯの場合）フェードイン中断のための処理（ステップＳ４１２〜Ｓ４１５）へ進む。
【００５７】
フェードイン開始のための処理（ステップＳ４０８〜Ｓ４１１）について述べる。フェードイン制御手段１２は計時手段１４が計時を開始している場合は（ステップＳ４０８のＹＥＳ）、ステップＳ４１０に処理を進める。また、計時を開始していなければ（ステップＳ４０８のＮＯ）、計時を開始するよう計時手段１４に指示（ステップＳ４０９）し、ステップＳ４１０に処理を進める。フェードイン制御手段１２はフェードイン処理が継続中であれば（ステップＳ４１０のＹＥＳ）、ステップＳ４０２へ戻る。また、フェードイン処理が継続中でなければ（ステップＳ４１０のＮＯ）フェードイン開始指示１０３をフェードイン手段１１に出力し（ステップＳ４１１）、ステップＳ４０２へ戻る。
【００５８】
フェードイン中断のための処理（ステップＳ４１２〜Ｓ４１５）について述べる。ステップＳ４１２においてフェードイン制御手段１２はフェードイン開始からの経過時間ｔを判断する。フェードイン開始からの経過時間ｔが所定時間ｔ０を超えている（ステップＳ４１２のＹＥＳの場合）場合はステップＳ４１０に処理を進め、超えていない場合（ステップＳ４１２のＮＯの場合）はステップＳ４１３に処理を進める。ステップＳ４１３において、フェードイン制御手段１２は、第３の閾値Ｌ３が第４の閾値Ｌ４より大きいか否かの判断を行う。第３の閾値Ｌ３が第４の閾値Ｌ４より大きければ（ＹＥＳの場合）ステップＳ４１０へ進む。第３の閾値Ｌ３が第４の閾値Ｌ４より大きくない場合は（ＮＯの場合）、ステップＳ４１４に進む。ステップＳ４１４において、フェードイン制御手段１２はフェードイン手段のフェードイン処理が継続中かどうかを判断し、継続中でなければステップＳ４０２に戻る。フェードイン処理が継続中であれば（ＹＥＳの場合）フェードイン中断指示１０４をフェードイン手段１１に出力し（ステップＳ４１５）、ステップＳ４０２へ戻る。
【００５９】
図５は、本発明の実施の形態１の携帯電話端末において、ＴＶ放送受信中に着信があり、ユーザが通話を行った後、再びＴＶ放送の受信を開始した際の処理シーケンス図である。図５の中で斜線のハッチングを施した部分は、その箇所でフェードイン制御手段１２が、先に説明した図３または図４のフローチャートを実行していることを表している。
【００６０】
以下、図５を用いて本発明の実施の形態１における携帯電話端末の処理の流れを説明する。まず、ＴＶ放送を受信している状態において、内蔵スピーカー４１からＴＶ音声が出力されている（ステップＳ５０１）。信号強度検知手段１３は、ＴＶ音声復号部２４が出力するＴＶ音声信号の強度を検知して信号強度検知信号１０７をフェードイン制御手段１２へ出力する（ステップＳ５０２、Ｓ５０４）。フェードイン制御手段１２は、信号強度検知信号１０７を受け取ると、図３に示す手順に従って最大信号強度記憶処理を実行することにより、ＴＶ音声信号の信号強度の最大値Ｌｍａｘを記憶する（ステップＳ５０３、Ｓ５０５）。
【００６１】
着信があると（ステップＳ５０６）、無線通信部５１がこれを検知して制御部８へ着信通知を出力する（ステップＳ５０７）。制御部８は着信通知を受け取り、ＴＶ音声をミュートするようフェードイン制御手段１２に音量変更指示２０１を出力し（ステップＳ５０８）、フェードイン制御手段１２がこれを受けてフェードイン手段１１に対してゲイン設定指示２０３を出力する（ステップＳ５０９）。この結果、内蔵スピーカー４１が出力していたＴＶ音声はミュートされる（ステップＳ５１０）。
【００６２】
ユーザがオフフック操作を行うと（ステップＳ５１１）、操作キー７がこれを検知して制御部８へオフフック操作通知を出力する（ステップＳ５１２）。制御部８は、通話音声を出力するようフェードイン制御手段１２に音量変更指示２０１を出力し（ステップＳ５１３）、フェードイン制御手段１２がこれを受けてフェードイン手段１１に対してゲイン設定指示２０３を出力する（ステップＳ５１４）。この結果、通話音声復号部２２が出力する通話音声信号が内蔵スピーカー４１へ出力されるようになり、内蔵スピーカー４１から通話音声が出力される（ステップＳ５１５、Ｓ５１６）。制御部８が無線通信部５１に対して通話開始指示を出力すると（ステップＳ５１７）、無線通信部５１が携帯電話端末同士の通話を開始する。
【００６３】
ユーザがオンフック操作を行うと（ステップＳ５１８）、操作キー７がこれを検知して制御部８へオンフック操作通知を出力する（ステップＳ５１９）。制御部８は、通話音声をミュートするようフェードイン制御手段１２に音量変更指示２０１を出力し（ステップＳ５２０）、フェードイン制御手段１２がこれを受けてフェードイン手段１１に対してゲイン設定指示２０３を出力する（ステップＳ５２１）。この結果、内蔵スピーカー４１が出力している通話音声はミュートされる（ステップＳ５２２）。また、制御部８は、無線通信部５１に対して通話終了指示を出力すると、無線通信部５１が携帯電話端末同士の接続を切断する（ステップＳ５２３）。
【００６４】
制御部８は、内蔵スピーカー４１からの出力を着信前の状態（ＴＶ音声が出力されている状態）に戻すために、ＴＶ音声をフェードインするようフェードイン制御手段１２にフェードイン指示２０２を出力すると（ステップＳ５２４）、フェードイン制御手段１２は、図４に示す手順に従ってフェードイン制御処理を実行する（ステップＳ５２５）。
【００６５】
フェードイン制御手段１２が、信号強度検知手段１３が出力する信号強度検知信号１０７（ステップＳ５２６）に基づいてフェードイン開始指示１０３をフェードイン手段１１に出力すると（ステップＳ５２７）、内蔵スピーカー４１からＴＶ音声が出力開始され（ステップＳ５２８）、徐々に音量が大きくなる（ステップＳ５２９）。
【００６６】
フェードイン制御手段１２とフェードイン手段１１は、信号強度検知信号１０７の送受、フェードイン開始指示１０３またはフェードイン中断指示１０４の送受を繰り返し（ステップＳ５３０：簡略化して図示）フェードイン処理を進める。なお、ステップＳ５３０での処理については、ステップＳ５２５の処理の説明（後述）の中で詳細に説明する。
【００６７】
フェードイン手段１１は、フェードイン処理が完了すると、フェードイン完了通知１０６をフェードイン制御手段１２へ出力し（ステップＳ５３１）、フェードイン制御手段１２がフェードイン制御処理を完了する。この結果、内蔵スピーカー４１はステップＳ５０１で出力していた音量と同等の強度でＴＶ音声を出力するようになる（ステップＳ５３２）。
【００６８】
図６は、図５のフェードイン制御処理（ステップＳ５２５）において、フェードイン手段１１の入力信号１０１と出力信号１０２の強度、ゲイン値、フェードイン制御手段１２が保持する第３の閾値の時間変化の例を示すグラフである。図６（ａ）の横軸は時刻、縦軸は信号強度を表す。また、図６（ｂ）の横軸は時刻、縦軸はゲイン値を表す。図６（ａ）および図６（ｂ）の横軸原点Ｔ６００は、フェードイン制御手段１２がフェードイン指示２０２を受け取った（図５のステップＳ５２４）時刻を示す。
【００６９】
以下、図６のグラフおよび図４のフローチャートを用いて、図５のフェードイン制御処理（ステップＳ５２５）における処理を詳しく説明する。フェードイン制御手段１２が時刻Ｔ６００においてフェードイン指示２０２を受け取ると（図５のステップＳ５２４）、ステップＳ４０１で第３の閾値Ｌ３（Ｄ６０２）を最小値にセットし、第４の閾値Ｌ４の値をＬｍａｘに基づいて（たとえばＬｍａｘより０．１ｄＢ小さな値に）セットする。ゲイン値Ｇ（Ｄ６０４）は、フェードインが開始していないので、最小値（−∞ｄＢ）となっている。
【００７０】
時刻Ｔ６０１において、フェードイン制御手段１２が信号強度検知信号１０７を受け取ると（図４のステップＳ４０５のＹＥＳ）、ステップＳ４０６で入力信号強度Ｌｉｎ（Ｄ６０１）の値をセットする。ステップＳ４０７での判断で、入力信号強度Ｌｉｎ（Ｄ６０１）が第３の閾値Ｌ３（Ｄ６０２）より大きいので（ステップＳ４０７のＹＥＳの場合）、ステップＳ４０８の処理へ進む。計時手段１４は計時を開始していないので（ステップＳ４０８のＮＯの場合）、フェードイン制御手段１２はステップＳ４０９で計時を開始するよう計時手段１４に指示する。ステップＳ４１０では、フェードイン継続中でない（ステップＳ４１０のＮＯの場合）のでステップＳ４１１へ進み、フェードイン制御手段１２がフェードイン手段１１に対してフェードイン開始指示１０３を出力し（ステップＳ４１１）、ステップＳ４０２へ戻る。フェードイン手段１１がフェードイン処理を開始すると、ゲイン値Ｇ（Ｄ６０４）は徐々に上昇し、これに伴い出力信号強度Ｌｏｕｔ（Ｄ６０３）が上昇する。また第３の閾値Ｌ３（Ｄ６０２）はゲイン値Ｇ（Ｄ６０４）に基づいてステップＳ４０３で計算され、ステップＳ４０２〜Ｓ４１１を繰り返すごとにゲイン値Ｇ（Ｄ６０４）に同期して上昇する。
【００７１】
時刻Ｔ６０２において、第３の閾値Ｌ３（Ｄ６０２）が入力信号強度Ｌｉｎ（Ｄ６０１）を超えると、ステップＳ４０７の判断で否（ＮＯの場合）であるので、ステップＳ４１２へ進み、フェードイン中断のための処理に移る。ステップＳ４１２、Ｓ４１３の条件判断では、ともに否（ＮＯ）であるのでステップＳ４１４へ進む。ステップＳ４１４では、フェードイン継続中である（ＹＥＳの場合）のでステップＳ４１５へ進み、フェードイン制御手段１２がフェードイン手段１１にフェードイン中断指示１０４を出力する（ステップＳ４１５）。フェードインを中断すると、ゲイン値Ｇ（Ｄ６０４の）の上昇は止まり、これに伴い出力信号強度Ｌｏｕｔ（Ｄ６０３）の上昇も止まる。また、ステップＳ４０３の計算で求められる第３の閾値Ｌ３（Ｄ６０２）の上昇も止まる。
【００７２】
同様の処理を繰り返すことにより、入力信号強度Ｌｉｎ（Ｄ６０１）が第３の閾値Ｌ３（Ｄ６０２）を超える時刻Ｔ６０３で再びフェードインが開始され、入力信号強度Ｌｉｎ（Ｄ６０１）が第３の閾値Ｌ３（Ｄ６０２）より小さくなる時刻Ｔ６０４でフェードインが中断され、入力信号強度Ｌｉｎ（Ｄ６０１）が第３の閾値Ｌ３（Ｄ６０２）を超える時刻Ｔ６０５でフェードインが開始される。
【００７３】
このようにしてゲイン値Ｇ（Ｄ６０４）は、入力信号強度Ｌｉｎ（Ｄ６０１）とゲイン値Ｇ（Ｄ６０４）から計算される第３の閾値Ｌ３（Ｄ６０２）の変化とともに上昇と上昇停止を繰り返しながら次第に大きくなり、それに伴い出力信号強度Ｌｏｕｔ（Ｄ６０４）が徐々に大きくなる。時刻Ｔ６０３では入力信号強度Ｌｉｎ（Ｄ６０１）が急激に大きくなるが、時刻Ｔ６０２においてフェードインが中断されており、ゲイン値Ｇ（Ｄ６０４）の上昇が抑えられたままであるので、出力信号強度Ｌｏｕｔ（Ｄ６０３）は急激に上昇しない。このことにより、時刻Ｔ６０２における出力信号強度Ｌｏｕｔ（Ｄ６０３）の唐突な上昇を避けることができる。
【００７４】
時刻Ｔ６０６では入力信号強度Ｌｉｎ（Ｄ６０１）が第３の閾値Ｌ３（Ｄ６０２）より小さくなるため、ステップＳ４０７の判断でＮＯとなるため、フェードイン中断のための処理（ステップＳ４１２〜Ｓ４１５）へと進むが、第３の閾値Ｌ３（Ｄ６０２）が第４の閾値Ｌ４を超えているため、ステップＳ４１３の判断によりＹＥＳとなり、ステップＳ４１０へ進む。ステップＳ４１０では、フェードインが継続中であるのでＹＥＳに進み、そのままステップＳ４０２へ戻る。その結果、フェードイン制御手段１２はフェードイン手段１１に対してフェードイン中断指示１０４を出力しないので、フェードイン手段１１はフェードイン処理を継続する。
【００７５】
このように、第３の閾値Ｌ３（Ｄ６０２）が第４の閾値Ｌ４をいったん超えると、中断することなくフェードイン処理が継続される。このことにより、フェードインが充分進行し、ユーザが信号の強さに慣れた後はフェードイン処理を素早く完了させることができる。
【００７６】
時刻Ｔ６０７では、入力信号強度Ｌｉｎ（Ｄ６０１）が第３の閾値Ｌ３（Ｄ６０２）より小さいためステップＳ４０７の判断ではＮＯとなるため、ステップＳ４１２へ進むが、フェードイン開始時刻Ｔ６０１からの経過時間ｔが所定時間ｔ０を超えているため、ステップＳ４１２の判断でＹＥＳとなるため、ステップＳ４１０へ進むことになるので、フェードイン制御手段１２はフェードイン中断指示１０４（ステップＳ４１５）を出力しない。
【００７７】
このように、フェードイン処理開始（Ｔ６０１）からの経過時間ｔが所定時間ｔ０をいったん超えると、中断することなくフェードイン処理を継続する。このことにより、フェードイン処理が特定の時間まで進行したら、フェードイン処理を中断することなく完了させることができる。
【００７８】
時刻Ｔ６０８でフェードイン処理が完了し、フェードイン制御手段１２がフェードイン手段１１からフェードイン完了通知１０６を受け取ると、ステップＳ４０４の判断で（ＹＥＳ）ステップＳ４９９へと進む。ステップＳ４９９では、フェードイン制御手段が計時を停止するよう計時手段１４に指示して処理を終了する。
【００７９】
以上の説明から明らかなように、本発明の実施の形態１の信号調整装置、または信号調整方法、または信号調整プログラムによれば、入力信号の強度の変化とフェードイン処理の進行状態に基づいてフェードイン処理の進行状態を決定することができるため、唐突感なくフェードインすることができる。
【００８０】
また、本発明の実施の形態１の信号調整装置、または信号調整方法、または信号調整プログラムによれば、フェードイン処理が特定の段階までいったん進行したら、その後に入力信号の強度が小さくなったとしてもフェードイン処理を中断せず進行することができ、ユーザが入力信号の強度に充分慣れた時点でフェードイン処理を素早く完了させることができる。
【００８１】
また、本発明の実施の形態１の信号調整装置、または信号調整方法、または信号調整プログラムによれば、フェードイン処理が特定の時間まで進行したら、その後に入力信号の強度が小さくなったとしてもフェードイン処理を中断せず進行することができ、フェードイン処理を短時間で完了させることができる。
【００８２】
（実施の形態２）
図７は、本発明の実施の形態２における携帯電話端末の概略構成図である。図７において、携帯電話端末は信号調整装置１と信号発生手段２と信号発生制御手段３と信号提示手段４を備える。信号調整装置１は本発明の信号調整装置に該当する。信号調整装置１はフェードイン手段１１、フェードイン制御手段１２を備える。
【００８３】
信号発生手段２は、信号発生制御手段３が出力する信号発生指示１０９に基づいて、フェードイン手段１１への入力となる入力信号１０１を発生する手段である。信号発生手段２は例えば、ＭＩＤＩ信号に基づいて着信音を発生するＭＩＤＩ音源などが考えられる。
【００８４】
信号発生制御手段３は、信号発生指示１０９を信号発生手段２に出力することにより、信号発生手段２における信号の発生を制御する。また信号発生制御手段３は、信号発生手段２が発生する信号の強度を示す信号強度通知信号１０８をフェードイン制御手段１２に出力する。信号発生制御手段は例えば、ＳＭＦ（Ｓｔａｎｄａｒｄ  ＭＩＤＩ  Ｆｉｌｅ）を入力としＭＩＤＩ信号を出力する、着信音再生手段に内蔵されるシーケンサーなどが考えられる。また、信号強度通知信号１０８は例えば、ＭＩＤＩ信号のＶｅｌｏｃｉｔｙ値、Ｅｘｐｒｅｓｓｉｏｎ値、Ｖｏｌｕｍｅ値を示す信号などが考えられる。
【００８５】
フェードイン手段１１は、信号発生手段が出力する信号を入力信号１０１とし、フェードイン処理して出力信号１０２を出力する。このときフェードイン手段１１は、フェードイン制御手段１２からのゲイン増加指示１０５に基づいてゲイン値を増加させることでフェードイン処理を実行する。またフェードイン手段１１は、フェードイン処理が完了するとフェードイン完了通知１０６をフェードイン制御手段１２に出力する。
【００８６】
フェードイン制御手段１２は、信号発生制御手段３が出力する信号強度通知信号１０８に基づいてゲイン増加度ΔＧを計算し、ゲイン増加度ΔＧの値を指示するゲイン増加指示１０５をフェードイン手段１１に出力する。
【００８７】
図８は、本発明の実施の形態２における携帯電話端末をさらに詳しく示した構成図である。図８において無線通信部５１は、無線回線網と通信して着信を検出し、着信通知を制御部８に出力する。
【００８８】
音楽再生部５３は、メモリーカード等に蓄積した音楽コンテンツを読み込んでコンテンツデータを音楽再生音復号部２５へ出力する。音楽再生音復号部２５は、音楽再生部５３が出力したコンテンツデータを復号してフェードイン手段１１に音楽再生音信号を出力する。
【００８９】
着信音再生部３１は、制御部８が出力する着信音再生指示に基づいて、内部メモリーに蓄積したＳＭＦ（Ｓｔａｎｄａｒｄ  ＭＩＤＩ  Ｆｉｌｅ）形式の着信音データを読み込み、ＭＩＤＩ音源２６にＭＩＤＩ信号を出力することにより、着信音の演奏を制御する。また着信音再生部３１は、ＭＩＤＩ信号に含まれる各ノートのＶｅｌｏｃｉｔｙ値を示す信号強度通知信号１０８を着信音の演奏と同期してフェードイン制御手段１２に出力する。
【００９０】
ＭＩＤＩ音源２６は、着信音再生部３１が出力するＭＩＤＩ信号に基づいて着信音を合成し、フェードイン手段１１に着信音信号を出力する。
【００９１】
内蔵スピーカー４１は、フェードイン手段１１が出力する音声信号を聴取可能に出力する。
【００９２】
制御部８は、無線通信部５１が通知する着信通知に基づいて音楽再生音の音量変更指示２０１やフェードイン指示２０２をフェードイン制御手段１２に出力する。
【００９３】
フェードイン手段１１は、図７のフェードイン手段１１に相当するものである。フェードイン手段１１は、フェードイン制御手段１２が出力するゲイン増加指示１０５に基づいて、音楽再生音復号部２５が出力する音楽再生音信号およびＭＩＤＩ音源２６が出力する着信音信号にフェードイン処理を施し、処理した音響信号を内蔵スピーカー４１に出力する。またフェードイン手段１１は、フェードイン制御手段１２が出力するゲイン設定指示２０３に従って通話音声信号とＴＶ音声信号の出力信号強度を調整する。
【００９４】
フェードイン制御手段１２は制御部８が出力するフェードイン指示２０２および着信音再生部３１が出力する信号強度通知信号に基づいてフェードイン手段１１のゲイン増加度を決定し、フェードイン手段１１にゲイン増加指示１０５を出力することによりフェードイン処理の進行度を制御する。またフェードイン制御手段１２は、制御部８が出力する音量変更指示２０１に基づいてフェードイン手段１１にゲイン設定指示２０３を出力する。
【００９５】
図９は、本発明の実施の形態２における携帯電話端末のフェードイン制御処理の動作手順を示すフローチャートである。フェードイン制御処理はフェードイン制御手段１２がフェードイン指示２０２を受け取ったときに実行する。
【００９６】
図９のステップＳ９０１においてフェードイン制御手段１２がフェードイン手段１１からフェードイン完了通知１０６を受け取ったかどうかで処理を分岐する。フェードイン完了通知１０６を受け取ったら（ＹＥＳの場合）処理を終了する。フェードイン完了通知１０６を受け取っていなければ（ＮＯの場合）ステップＳ９０２の処理へ進み、フェードイン制御手段１２が信号発生制御手段３から信号強度通知信号１０８を受け取ったかどうかで処理を分岐する（ステップＳ９０２）。信号強度通知信号１０８を受け取っていなければ（ＮＯの場合）ステップＳ９０１へ戻り、信号強度通知信号１０８を受け取ったら（ＹＥＳの場合）フェードイン制御手段１２は信号強度通知信号１０８からＶｅｌｏｃｉｔｙ値を抽出し、変数Ｖｉｎに代入する（ステップＳ９０３）。
【００９７】
Ｖｅｌｏｃｉｔｙ値Ｖｉｎが第１の閾値Ｖ１より大きいかどうかで処理を分岐し（ステップＳ９０４）、大きい場合（ＹＥＳの場合）はゲイン値増加のための処理（ステップＳ９０５〜Ｓ９０６）へ進み、大きくなければ（ＮＯの場合）ステップＳ９０１へ戻る。
【００９８】
ゲイン値増加のための処理（ステップＳ９０５〜Ｓ９０６）について説明する。まずステップＳ９０５において、Ｖｅｌｏｃｉｔｙ値Ｖｉｎと第１の閾値Ｖ１とＶｅｌｏｃｉｔｙ値の最大値Ｖｍａｘからゲイン増加度ΔＧを計算式に基づいて求める（ステップＳ９０５）。ここでＶｍａｘは例えば１２７、係数αは例えば０．０３の値をとる。次に、フェードイン制御手段１２が、ステップＳ９０５で求めたゲイン増加度ΔＧを指示するゲイン増加指示１０５をフェードイン手段１１に出力し（ステップＳ９０６）、ステップＳ９０１へ戻る。
【００９９】
図１０は、本発明の実施の形態２の携帯電話端末において、音楽再生中に着信があった際の処理シーケンス図である。図１０の中で斜線のハッチングを施した部分は、その箇所でフェードイン制御手段１２が先に説明した図９のフローチャートを実行していることを表している。
【０１００】
以下、図１０を用いて本発明の実施の形態２における携帯電話端末の処理の流れを説明する。まず、音楽を再生している状態において、内蔵スピーカー４１から音楽再生音が出力されている（ステップＳ１００１）。
【０１０１】
着信があると（ステップＳ１００２）、無線通信部５１がこれを検知して制御部８へ着信通知を出力する（ステップＳ１００３）。制御部８は着信通知を受け取り、音楽再生音をミュートするようフェードイン制御手段１２に音量変更指示２０１を出力し（ステップＳ１００４）、フェードイン制御手段１２がこれを受けてフェードイン手段１１に対してゲイン設定指示２０３を出力する（ステップＳ１００５）。この結果、内蔵スピーカー４１が出力していた音楽再生音はミュートされる（ステップＳ１００６）。
【０１０２】
また制御部８は、着信音の再生を開始するよう着信音再生部３１に着信音再生指示を出力する（ステップ１００７）。着信音再生部３１は、制御部８が出力する着信音再生指示を受け取り、着信音の再生を開始するが、この時点ではフェードイン手段１１におけるフェードイン処理が開始されていないため、内蔵スピーカー４１から着信音は出力されない。
【０１０３】
制御部８は、音楽再生音をフェードインするようフェードイン制御手段１２にフェードイン指示２０２を出力すると（ステップＳ１００８）、フェードイン制御手段１２は、図９に示す手順に従ってフェードイン制御処理を実行する（ステップＳ１００９）。
【０１０４】
フェードイン制御手段１２が、着信音再生部３１が出力する信号強度通知信号１０８（ステップＳ１０１０）に基づいてゲイン増加指示１０５をフェードイン手段１１に出力すると（ステップＳ１０１１）、内蔵スピーカー４１から音楽再生音が出力開始され（ステップＳ１０１２）、徐々に音量が大きくなる（ステップＳ１０１３）。
【０１０５】
フェードイン制御手段１２とフェードイン手段１１は、信号強度通知信号１０８の送受、ゲイン増加指示１０５の送受を繰り返し（ステップＳ１０１４：簡略化して図示）フェードイン処理を進める。なお、ステップＳ１０１４での処理については、ステップＳ１００９の処理の説明（後述）の中で詳細に説明する。
【０１０６】
フェードイン手段１１は、フェードイン処理が完了すると、フェードイン完了通知１０６をフェードイン制御手段１２へ出力し（ステップＳ１０１５）、フェードイン制御手段１２がフェードイン制御処理を完了する。この結果、内蔵スピーカー４１はフェードイン完了時の音量で着信音を出力し続けるようになる（ステップＳ１０１６）。
【０１０７】
図１１は、図１０のフェードイン制御処理（ステップＳ１００９）において、着信音再生部が出力するＶｅｌｏｃｉｔｙ値、フェードイン手段１１が出力するゲイン増加度、フェードイン手段１１のゲイン値、入力信号１０１と出力信号１０２の強度の時間変化の例を示すグラフである。図１１（ａ）の横軸は時刻、縦軸はＶｅｌｏｃｉｔｙ値（０〜１２７）を表す。また、図１１（ｂ）の横軸は時刻、縦軸はゲイン値を表す。図１１（ｃ）の横軸は時刻、縦軸は信号強度を表す。図１１（ａ）、図１１（ｂ）、図１１（ｃ）の横軸原点Ｔ１１００は、フェードイン制御手段１２がフェードイン指示２０２を受け取った（図１０のステップＳ１００８）時刻を示す。
【０１０８】
以下、図１１のグラフおよび図９のフローチャートを用いて、図１０のフェードイン制御処理（ステップＳ１００９）における処理を詳しく説明する。フェードイン制御手段１２が時刻Ｔ１１００においてフェードイン指示２０２を受け取ると（図１０のステップＳ１００８）フェードイン制御処理を開始する。
【０１０９】
時刻Ｔ１１０１において、フェードイン制御手段１２が信号強度通知信号１０８を受け取ると（図９のステップＳ９０２のＹＥＳの場合）、ステップＳ９０３でＶｅｌｏｃｉｔｙ値Ｖｉｎ（Ｄ１１０１）をセットする。ステップＳ９０４の判断で、Ｖｅｌｏｃｉｔｙ値Ｖｉｎ（Ｄ１１０１）が第１の閾値Ｖ１より小さいので（ＮＯの場合）、ステップＳ９０１へ戻る。時刻Ｔ１１０２よりも前の時刻ではいずれもＶｅｌｏｃｉｔｙ値Ｖｉｎ（Ｄ１１０１）が第１の閾値Ｖ１より小さいので、ステップＳ９０５〜Ｓ９０６の処理へは進まず、フェードイン処理は進行しない。
【０１１０】
時刻Ｔ１１０２ではＶｅｌｏｃｉｔｙ値Ｖｉｎ（Ｄ１１０１）が第１の閾値Ｖ１より大きいので、ステップＳ９０４の判断結果がＹＥＳとなり、ステップＳ９０５へ進む。ステップＳ９０５では、ゲイン増加度ΔＧは正の値にセットされる。ステップＳ９０６でフェードイン制御手段１２がフェードイン手段１１にゲイン増加指示１０５を出力し、ステップＳ９０１へ戻る。フェードイン手段１１は、ゲイン増加指示１０５で指示されるゲイン増加度ΔＧに基づいてゲイン値Ｇ（Ｄ１１０３）を現在のゲイン値＋ΔＧまで徐々に増加させることにより入力信号１０１をフェードイン処理する。これに伴い出力信号強度Ｌｏｕｔ（Ｄ１１０５）が上昇する。
【０１１１】
同様の処理を繰り返すことにより、Ｖｅｌｏｃｉｔｙ値Ｖｉｎ（Ｄ１１０１）が第１の閾値Ｖ１より大きいときはゲインＧ（Ｄ１１０３）が増加し、小さいときはゲインＧ（Ｄ１１０３）は増加しない。時刻Ｔ１１０２および時刻Ｔ１１０４では入力信号強度Ｌｉｎ（Ｄ１１０４）が急激に大きくなるが、それぞれ時刻Ｔ１１０１、時刻Ｔ１１０３以降においてフェードイン処理が進行しておらず、ゲイン値Ｇ（Ｄ１１０３）の上昇が抑えられたままであるので、出力信号強度Ｌｏｕｔ（Ｄ１１０５）は急激に上昇しない。このことにより、時刻Ｔ１１０２およびＴ１１０４における出力信号強度Ｌｏｕｔ（Ｄ１１０５）の唐突な上昇を避けることができる。
【０１１２】
時刻Ｔ１１０５でフェードイン処理が完了し、フェードイン制御手段１２がフェードイン手段１１からフェードイン完了通知１０６を受け取ると、ステップＳ９０１の判断で（ＹＥＳの場合）フェードイン制御処理を終了する。
【０１１３】
以上の説明から明らかなように、本発明の実施の形態２の信号調整装置、または信号調整方法、または信号調整プログラムにおいては、フェードイン処理をゲイン値を増加させることによって進行させているが、この実施の形態によれば、入力信号の強度と第１の閾値との演算結果に基づいてゲイン値の増加度、すなわちフェードイン処理の進行度を変化させることができるため、唐突感なくフェードインすることができる。
【０１１４】
なお、本発明の信号調整装置、または信号調整方法、または信号調整プログラムは、本実施の形態においては携帯電話端末の例にして説明をしたが、これに限るものではなく、ＰＤＡ、パーソナルコンピューター、街頭などにある情報端末（キオスク端末）、ウエアラブルコンピューター、カーナビゲーション端末等の情報機器、アナログ地上波放送または地上デジタル放送またはアナログ衛星放送または衛星デジタル放送または有線放送等を受信するテレビ、ラジオ、受信用セットトップボックス、チューナーカード等の放送受信機器、半導体プレーヤー、ハードディスク内蔵の音楽プレーヤーや映像コンテンツのプレーヤー、ＶＴＲ、ＤＶＤレコーダー、ＤＶＤプレーヤー、オーディオアンプ、ＡＶアンプ等のＡＶ機器、ミキサー、映像編集装置、ハードディスクレコーダー、エフェクター等の制作用機器、ＭＩＤＩ音源、シンセサイザー等の電子楽器であってもよい。
【０１１５】
なお、本実施の形態１または実施の形態２において、入力信号および出力信号は、ＴＶ音声または着信音であるとしたが、これに限るものではなく、聴取可能に変換可能な音信号であればなんでもよく、ラジオ音声、通話音声、ＴＶ電話の音声、映画やドラマやクリップビデオ等の映像コンテンツの音、音楽コンテンツの音、アラーム音、音声メモの再生音等であってもよい。
【０１１６】
なお、本実施の形態１または実施の形態２において、信号を音信号であるとしたが、これに限るものではなく、たとえば信号強度検知手段が画像信号を入力信号として画像フレーム内の画素の輝度を検知するようにし、フェードイン手段が、検知した輝度にゲイン値を乗じた輝度を持つ画素で構成される画像フレームを出力するようにすれば、ＴＶやＴＶ電話、映画やドラマやクリップビデオ、映像メモ等の画像信号であっても同様に処理できる。
【０１１７】
なお、本実施の形態１または実施の形態２において、フェードイン手段は復号処理済の信号を処理するとしたが、これに限るものではなく、たとえば符号化されたデータに含まれるヘッダ情報を書き換えて信号強度を変更する処理を行うことにより、符号化されたデータをフェードイン処理するようにしてもよい。
【０１１８】
なお、本実施の形態１または実施の形態２において、フェードイン制御手段は信号強度検知手段または信号発生制御手段が通知する信号強度を受け付けて処理を実行するとしたが、たとえば電子楽器のフットボリュームやコントロールホイール、再生機器のボリューム調整のためのボリューム調節つまみやリモコン、ＭＩＤＩミキサー等、入力信号の強度を制御する装置からの出力信号を受け付けて信号強度を得るようにしてもよい。
【０１１９】
なお、本実施の形態１において、入力信号の強度が、第３の閾値よりも大きいか小さいかの比較結果に基づいてフェードイン処理の進行度の指示を切り換えるようにしたが、入力信号の強度と第３の閾値との演算結果に基づいてフェードイン処理の進行度の指示を切り換えるものであればなんでもよく、たとえば第３の閾値に特定の数値を加えて第６の閾値を求め、入力信号の強度が第６の閾値よりも大きい場合と第３の閾値よりも小さい場合とでフェードイン処理の進行度の指示を切り換えるようにしてもよい。
【０１２０】
なお、本実施の形態２において、入力信号の強度が、第１の閾値よりも大きいか小さいかの比較結果に基づいてフェードイン処理の進行度の指示を切り換えるようにしたが、入力信号の強度と第１の閾値との演算結果に基づいてフェードイン処理の進行度の指示を切り換えるものであればなんでもよく、たとえば第１の閾値に特定の数値を加えて第５の閾値を求め、入力信号の強度が第５の閾値よりも大きい場合と第１の閾値よりも小さい場合とでフェードイン処理の進行度の指示を切り換えるようにしてもよい。
【０１２１】
なお、本実施の形態１において、信号強度検知手段は、復号処理済の信号から信号強度を検知するとしたが、これに限るものではなく、符号化されたデータに含まれるヘッダ情報等から信号強度を検知してもよい。
【０１２２】
なお、本実施の形態１において、フェードイン制御手段は、計時手段に問合せを行うことでフェードイン処理の経過時間を取得するとしたが、これに限るものではなく、計時手段がフェードイン制御手段に経過時間を通知し、フェードイン制御手段がこれを受け付けるようにしてもよい。
【０１２３】
なお、本実施の形態１において、フェードイン制御手段は、フェードイン処理の開始と中断をフェードイン手段に指示することでフェードイン処理の進行度を指示するとしたが、これに限るものではなく、フェードインの速さ、すなわちゲイン値の上昇速度を増減するよう指示するようにしてもよい。
【０１２４】
なお、本実施の形態１において、第４の閾値は入力信号の強度の最大値に基づいて決定するとしたが、これに限るものではなく、あらかじめ設定した値、操作子やリモコン等で設定した値等に基づいて決定するようにしてもよい。
【０１２５】
なお、本実施の形態２において、ゲイン増加度を図９のステップＳ９０４およびＳ９０５に示す条件と式によって決定するとしたが、これに限るものではなく、入力信号強度と第１の閾値に基づいてゲイン増加度を決定する条件または式であればなんでもよい。
【０１２６】
なお、本実施の形態２において、信号発生制御手段が、信号発生手段における信号発生に同期して信号強度通知信号を出力するとしたが、これに限るものではなく、非同期に出力してもよい。
【産業上の利用可能性】
【０１２７】
本発明は、強度変化の激しい信号を入力しても唐突な強度変化のないフェードイン出力信号を得ることができるという効果を有し、映像信号または音響信号をフェードイン処理する信号調整装置および信号調整方法および信号調整プログラムとして有用であるため、携帯電話、ＰＤＡ、パーソナルコンピューター、街頭などにある情報端末（キオスク端末）、ウエアラブルコンピューター、カーナビゲーション端末等の情報機器、アナログ地上波放送または地上デジタル放送またはアナログ衛星放送または衛星デジタル放送または有線放送等を受信するテレビ、ラジオ、受信用セットトップボックス、チューナーカード等の放送受信機器、半導体プレーヤー、ハードディスク内蔵の音楽プレーヤーや映像コンテンツのプレーヤー、ＶＴＲ、ＤＶＤレコーダー、ＤＶＤプレーヤー、オーディオアンプ、ＡＶアンプ等のＡＶ機器、ミキサー、映像編集装置、ハードディスクレコーダー、エフェクター等の制作用機器、ＭＩＤＩ音源、シンセサイザー等の電子楽器等への利用が可能である。
【図面の簡単な説明】
【０１２８】
【図１】本発明の実施の形態１における携帯電話端末の簡略構成図
【図２】本発明の実施の形態１における携帯電話端末の詳細構成図
【図３】本発明の実施の形態１における携帯電話端末の信号強度検知信号を受け付けた時の処理手順を示すフローチャート
【図４】本発明の実施の形態１における携帯電話端末のフェードイン指示を受け付けた時の処理手順を示すフローチャート
【図５】本発明の実施の形態１における携帯電話端末のシーケンス図
【図６】（ａ）本発明の実施の形態１における携帯電話端末の入力信号強度、出力信号強度、第３の閾値の時間変化の例を示すグラフ（ｂ）本発明の実施の形態１における携帯電話端末のゲイン値の時間変化の例を示すグラフ
【図７】本発明の実施の形態２における携帯電話端末の簡略構成図
【図８】本発明の実施の形態２における携帯電話端末の詳細構成図
【図９】本発明の実施の形態２における携帯電話端末のフェードイン指示を受け付けた時の処理手順を示すフローチャート
【図１０】本発明の実施の形態３における携帯電話端末のシーケンス図
【図１１】（ａ）本発明の実施の形態２における携帯電話端末のＶｅｌｏｃｉｔｙ値の時間変化を示すグラフ（ｂ）本発明の実施の形態２における携帯電話端末のゲイン増加度、ゲイン値の時間変化を示すグラフ（ｃ）本発明の実施の形態２における携帯電話端末の入力信号強度、出力信号強度の時間変化を示すグラフ
【図１２】（ａ）従来のフェードイン制御装置の入力信号の音量変化を示すグラフ（ｂ）従来のフェードイン制御装置のボリューム値の時間変化を示すグラフ（ｃ）従来のフェードイン制御装置の出力信号の音量変化を示すグラフ
【符号の説明】
【０１２９】
１  信号調整装置
１１  フェードイン手段
１２  フェードイン制御手段
１３  信号強度検知手段
１４  計時手段
２  信号発生手段
２１  通話音声符号化部
２２  通話音声復号部
２３  ＴＶ映像復号部
２４  ＴＶ音声復号部
２５  音楽再生音復号部
２６  ＭＩＤＩ音源
３  信号発生制御手段
３１  着信音再生部
４  信号提示手段
４１  内蔵スピーカー
４２  ＬＣＤ
５１  無線通信部
５２  ＴＶ放送受信部
５３  音楽再生部
６  内蔵マイク
７  操作キー
８  制御部
１０１  入力信号
１０２  出力信号
１０３  フェードイン開始指示
１０４  フェードイン中断指示
１０５  ゲイン増加指示
１０６  フェードイン完了通知
１０７  信号強度検知信号
１０８  信号強度通知信号
１０９  信号発生指示
２０１  音量変更指示
２０２  フェードイン指示
２０３  ゲイン設定指示
【図１】
2006148194.tif 000003
【図２】
2006148194.tif 000004
【図３】
2006148194.tif 000005
【図４】
2006148194.tif 000006
【図５】
2006148194.tif 000007
【図６】
2006148194.tif 000008
【図７】
2006148194.tif 000009
【図８】
2006148194.tif 000010
【図９】
2006148194.tif 000011
【図１０】
2006148194.tif 000012
【図１１】
2006148194.tif 000013
【図１２】
2006148194.tif 000014